(57)【要約】【課題】  複雑な設定を必要とせずに、所望する動作を容易に実行することができ、操作性に優れた通信装置等を提供する。【解決手段】  通信装置１は、設定情報１０１に基づいて、自装置の設定を変更し、受付期間内に入力情報１０２が与えられた際に、入力情報１０２が登録情報であると判別し、登録情報であると判別した場合に、登録情報と関連付けられた所定の動作を実行する発信制御部２を備える。【選択図】      図１
2015089065.tif 000002
【特許請求の範囲】
【請求項１】
１つ以上の登録情報と、その登録情報の数を示す登録情報数と、前記登録情報を受け付けることが可能な時間を示す受付時間と、前記登録情報毎に関連付けられた所定の動作の種別を示す動作種別と、前記所定の動作に関連する値を示す動作情報とが関連付けられた設定情報に基づいて、前記登録情報に応じて、前記所定の動作を実行可能なように自装置の設定を変更する制御部を備え、
前記制御部は、
入力情報が与えられた際に、該入力情報と前記登録情報とが同一か否かを判別し、同一であると判別した場合には、前記入力情報を与えられた時刻が前記受付時間内であるか否かを判別し、前記受付時間内であると判別した場合に、前記登録情報と関連付けられた前記所定の動作を実行する
ことを特徴とする通信装置。
【請求項２】
前記制御部は、
さらに、前記所定の動作を実行するに際して、前記動作種別に基づいて、前記所定の動作の種別を判別し、その動作種別に応じて、異なる所定の動作を実行する
ことを特徴とする請求項１に記載の通信装置。
【請求項３】
前記制御部は、
前記動作種別が所定の電話番号を発呼することを表す場合に、前記動作情報に基づき前記所定の電話番号を発呼する
ことを特徴とする請求項１または請求項２に記載の通信装置。
【請求項４】
前記制御部は、
前記動作種別が前記入力情報を通知することを表す場合に、前記入力情報を通知する
ことを特徴とする請求項１または請求項２に記載の通信装置。
【請求項５】
前記制御部は、
前記入力情報を通知するに際して、さらに、自装置を一意に識別可能な識別情報を通知する
ことを特徴とする請求項４に記載の通信装置。
【請求項６】
前記制御部は、
前記動作種別が所定の電話番号を発呼することを表す場合に、電話機のオフフック状態を検知するのに応じて、その検知した時刻が前記受付時間内であるか否かを判別し、前記受付時間内であると判別した場合に、前記動作情報に基づき前記所定の電話番号に発呼する
ことを特徴とする請求項１に記載の通信装置。
【請求項７】
告知放送を配信する告知放送配信装置と、請求項１乃至請求項６の何れかに記載された通信装置を含む告知放送受信端末及びその告知放送受信端末に接続された電話機を含む告知放送システムであって、
前記告知放送配信装置は、
前記告知放送を配信するに際して、前記設定情報を含む放送開始制御パケットを送信し、前記告知放送受信端末の設定が完了するのに応じて、前記告知放送の配信を開始すると共に、音声情報を送信し、前記入力情報と前記識別情報とを受信した場合には、前記入力情報と前記識別情報とに基づいて、前記登録情報が選択された回数を示す選択回数を算出し、前記設定情報と関連付けて前記選択回数と前記識別情報とを管理し、
前記電話機は、
操作されるのに応じて、押下されたダイヤル番号を前記入力情報として出力し、
前記通信装置は、
さらに、前記音声情報を記憶部に格納し、その音声情報を音声再生部により再生する
ことを特徴とする告知放送システム。
【請求項８】
１つ以上の登録情報と、その登録情報の数を示す登録情報数と、前記登録情報を受け付けることが可能な時間を示す受付時間と、前記登録情報毎に関連付けられた所定の動作の種別を示す動作種別と、前記所定の動作に関連する値を示す動作情報とが関連付けられた設定情報に基づいて、前記登録情報に応じて、前記所定の動作を実行可能なように自装置の設定を変更し、
入力情報が与えられた際に、該入力情報と前記登録情報とが同一か否かを判別し、同一であると判別した場合には、前記入力情報を与えられた時刻が前記受付時間内であるか否かを判別し、前記受付時間内であると判別した場合に、前記登録情報と関連付けられた前記所定の動作を、前記自装置と異なる他の装置が実行するよう制御する
ことを特徴とする通信制御装置。
【請求項９】
１つ以上の登録情報と、その登録情報の数を示す登録情報数と、前記登録情報を受け付けることが可能な時間を示す受付時間と、前記登録情報毎に関連付けられた所定の動作の種別を示す動作種別と、前記所定の動作に関連する値を示す動作情報とが関連付けられた設定情報に基づいて、前記登録情報に応じて、前記所定の動作を実行可能なように通信装置の設定を変更し、
入力情報が与えられるのに応じて、該入力情報と前記登録情報とが同一か否かを判別し、同一であると判別した場合には、前記入力情報を与えられた時刻が前記受付時間内であるか否かを判別し、前記受付時間内であると判別した場合に、前記登録情報と関連付けられた前記所定の動作を実行する
ことを特徴とする通信方法。
【請求項１０】
１つ以上の登録情報と、その登録情報の数を示す登録情報数と、前記登録情報を受け付けることが可能な時間を示す受付時間と、前記登録情報毎に関連付けられた所定の動作の種別を示す動作種別と、前記所定の動作に関連する値を示す動作情報とが関連付けられた設定情報に基づいて、前記登録情報に応じて、前記所定の動作を実行可能なように通信装置の設定を変更し、
入力情報が与えられるのに応じて、該入力情報と前記登録情報とが同一か否かを判別し、同一であると判別した場合には、前記入力情報を与えられた時刻が前記受付時間内であるか否かを判別し、前記受付時間内であると判別した場合に、前記登録情報と関連付けられた前記所定の動作を実行する機能を
コンピュータに実現させることを特徴とするコンピュータ・プログラム。
【発明の詳細な説明】
【技術分野】
【０００１】
本発明は、例えば、配信されるコンテンツに応じて、そのコンテンツを受信する端末装置を制御する技術分野に関する。
【背景技術】
【０００２】
告知放送システムは、大別して、例えば、公共施設等のセンターに設置された告知放送設備と、そのシステムに加入する利用者宅に設置された告知放送受信端末装置（以降、本願では、単に「受信端末装置」と称する）とにより構成されている。この告知放送設備と受信端末装置との間は、ＩＰ（Ｉｎｔｅｒｎｅｔ＿Ｐｒｏｔｏｃｏｌ）ネットワーク網等により通信可能に接続されていることが知られている。また、係る告知放送システムには、音声により入力された情報を配信する形態だけでなく、例えば、電話機から受け付けた音声を配信するページング放送と呼ばれる形態も存在する。
【０００３】
まず、当該告知放送設備は、ＩＰネットワーク網を介して受信端末装置に対して音声情報等を含む各種情報を配信する。当該受信端末装置は、例えば、告知放送設備から配信された音声情報を再生する。ここで、当該告知放送システムにおいて配信する内容としては、災害時の避難警報等のように緊急性を要する緊急放送のほかに、催し物の案内等の行政からの情報提供を目的とする緊急性を要しない放送も含まれる。
【０００４】
当該受信端末装置は、利用者にＩＰ電話サービスを提供することが可能なＶｏＩＰ−ＴＡ（Ｖｏｉｃｅ＿ｏｖｅｒ＿Ｉｎｔｅｒｎｅｔ＿Ｐｒｏｔｏｃｏｌ−Ｔｅｒｍｉｎａｌ＿Ａｄａｐｔｅｒ）機能を、さらに備えることが知られている。これにより、当該告知放送システムは、受信端末装置を導入する利用者間の通話料を低減するなどのメリットを提供するだけでなく、さらに、利用者の利便性を向上する。
【０００５】
ここで、本願出願に先立って存在する関連技術としては、例えば、特許文献１乃至特許文献３がある。
【０００６】
特許文献１は、告知放送装置の再放送方式に関する技術を開示する。特許文献１に開示されたシステムは、電話機と加入者放送装置とを有する加入者装置と、その加入者装置に対して放送信号を送信する告知放送装置とを備える。当該告知放送装置は、放送する内容を録音した録音データと、当該システムに加入する加入者を識別可能な加入者番号とを含む情報を保持する。これにより、例えば、放送された内容を聞き逃した加入者は、当該電話機を用いて当該告知放送装置に対して再放送するように要求する。次に、当該告知放送装置は、加入者から受け付けた再放送要求と、加入者が再放送を要求する際に用いた当該電話機の電話番号とに基づいて、所望の録音データを選定する。さらに、当該告知放送装置は、選定した録音データを、放送信号として当該加入者放送装置に対して送信することができる。
【０００７】
次に、特許文献２は、ＴＣＰ（Ｔｒａｎｓｍｉｓｓｉｏｎ＿Ｃｏｎｔｒｏｌ＿Ｐｒｏｔｏｃｏｌ）／ＩＰ網での簡易アクセスによる情報提供または取得の方法及びそのＴＣＰ／ＩＰ通信システム、並びにプログラムに関する技術を開示する。より具体的に、特許文献２に開示された運営サイト通信システムは、発信者の電話番号と、その発信者の電話番号に関連付けられた各種情報とを格納するデータベースを備える。例えば、交換機は、利用者が携帯端末を用いて短縮番号を発呼することによって、その短縮番号を受け付けると共に、短縮番号に関連付けられた電話番号へ接続する。さらに、当該運営サイト通信システムは、発信者の電話番号に関連付けられた情報を抽出する。また、当該運営サイト通信システムは、当該発信者の電話番号からメールアドレスを生成すると共に、生成したメールアドレス宛てに抽出した情報を送信する。これにより、利用者は、簡易なアクセス操作によって、各種情報を取得することができる。
【０００８】
特許文献３は、告知放送システムに関する技術を開示する。特許文献３に開示された告知放送システムは、音声情報を含む告知放送信号を送信するセンター装置と、センター装置から受信した告知放送信号に含まれる音声情報を出力する受信機とを備える。より具体的に、利用者は、電話機を用いてセンター装置に接続する。次に、当該センター装置は、電話機から通話信号を受信する。当該センター装置は、受信した通話信号に含まれる電話番号に基づいて、その電話番号に関連付けられた個別アドレスをメモリから取得する。さらに、当該センター装置は、取得した個別アドレスと、当該通話信号に含まれる音声情報とを含む告知放送信号を生成する。受信機は、告知放送信号を当該センター装置から受信した際に、その告知放送信号に含まれる個別アドレスと、予め格納された個別アドレスとが合致するか否かを判別する。受信機は、告知放送信号に含まれる個別アドレスと、予め格納された個別アドレスとが合致する場合に、当該受信した告知放送信号に含まれる音声情報を出力する。これにより、利用者は、外出先から家族に伝言を残すことができる。
【先行技術文献】
【特許文献】
【０００９】
【特許文献１】特開平０８−１０７３９１号公報
【特許文献２】特開２００２−３６６６７７号公報
【特許文献３】特開２０１０−０４５６５６号公報
【発明の概要】
【発明が解決しようとする課題】
【００１０】
ここで、一般的に知られた告知放送システム２００について図１９を参照して説明する。図１９は、一般的に知られた告知放送システムの構成を例示する図である。
【００１１】
告知放送システム２００は、放送制御装置２０１、ページング放送装置２０２、告知放送配信装置２０３、呼制御装置２０４、告知放送受信端末２０５、ＶｏＩＰ−ＴＡ２０６及び電話機２０７を備える。
【００１２】
ここでは、説明の便宜上、一例として、告知放送システム２００において告知放送を配信する際の構成について説明する。まず、利用者に対して告知放送を提供するに際して必要となる構成要素は、放送制御装置２０１、ページング放送装置２０２、告知放送配信装置２０３及び告知放送受信端末２０５である。これら構成要素は、ＩＰネットワーク網２１０を介して通信可能に接続（以下、本願では、「通信可能に接続」を単に「接続」と略称する）されている。
【００１３】
尚、説明及び図示の便宜上、図１９において表現を省略した告知放送システム２００は、ＩＰネットワーク網２１０を介して１つ以上（つまり、多台数）の告知放送受信端末２０５を有する。また、告知放送配信装置２０３は、その１つ以上の告知放送受信端末２０５に対して告知放送を配信する。
【００１４】
より具体的に、放送制御装置２０１は、不図示の音声入力装置（例えば、図１２に示すマイク６７）から入力された音声信号を、音声情報（音声データ）に変換する機能を有する。また、放送制御装置２０１は、告知放送を配信する日時（配信日時）、告知放送を配信する地域（配信地域）及び告知放送を配信する対象者（配信する対象者）等を設定する機能を有する。放送制御装置２０１は、これら音声情報と設定情報とを告知放送配信装置２０３に対して送信する機能を有する。
【００１５】
ページング放送装置２０２は、電話機から入力された音声信号を、音声情報に変換する機能を有する。また、ページング放送装置２０２は、電話機から入力されたダイヤル番号を解析することによって、配信日時、配信地域及び配信する対象者等を設定する機能を有する。ページング放送装置２０２は、これら音声情報と設定情報とを告知放送配信装置２０３に対して送信する機能を有する。このように、ページング放送装置２０２は、告知放送配信装置２０３と物理的に離れた遠隔地から放送を行うことができるという利便性を提供する。
【００１６】
告知放送配信装置２０３は、放送制御装置２０１、またはページング放送装置２０２から音声情報と設定情報とを受信すると共に、その受信した音声情報と設定情報とを記憶する機能を有する。また、告知放送配信装置２０３は、音声情報、設定情報に基づいて、どの放送コンテンツをいつ配信するか管理する放送スケジュールに従って放送コンテンツを告知放送受信端末２０５に対して配信する機能を有する。
【００１７】
告知放送受信端末２０５には、不図示のスピーカーが具備されている。告知放送受信端末２０５は、告知放送配信装置２０３から配信された告知放送を、スピーカーを利用することによって再生する。また、告知放送受信端末２０５は、接続された電話機２０７を用いることにより、一般的に知られたＩＰ電話サービスや一般加入電話サービスを利用することが可能な機能を有する。
【００１８】
上述した告知放送システム２００において告知放送を放送する際に、告知放送システム２００が備える機能は、配信された告知放送を、即時に再生する通常の放送機能と、利用者が聞き漏らした放送を改めて再生する再放送機能（「留守録放送」とも記す）及び告知放送受信端末２０５に設けられた、例えば、安否確認ボタンを利用者に押下するよう催促する放送を再生すると共に、その再生後に利用者によるボタン押下の有無を監視する放送機能（「安否確認放送」とも記す）など、複数存在する。
【００１９】
次に、一例として、ここでは、告知放送システム２００においてＩＰ電話サービスを提供する際の構成について説明する。利用者にＩＰ電話サービスを提供するに際して必要となる構成要素は、呼制御装置２０４、告知放送受信端末２０５、ＶｏＩＰ−ＴＡ２０６及び電話機２０７である。これら構成要素は、ＩＰネットワーク網２１０及び一般加入電話回線網２１１を介して接続されている。
【００２０】
より具体的に、呼制御装置２０４は、ＩＰ電話サービスを利用する利用者の電話番号及びＩＰアドレスなどを管理すると共に、発信者と着信先とをつなぐ機能を有する。
【００２１】
電話機２０７は、告知放送受信端末２０５が導入されている家庭には、告知放送受信端末２０５に接続されている。また、電話機２０７は、ＩＰ電話サービスだけに加入している（つまり、告知放送受信端末２０５が導入されていない）家庭には、ＶｏＩＰ−ＴＡ２０６に接続されている。電話機２０７は、告知放送受信端末２０５が導入されていなく、且つＩＰ電話サービスに加入していない、または通信ネットワークの上流において、その経路の一部がＩＰ電話サービスに加入している家庭には、一般加入電話回線網２１１に接続されている。
【００２２】
告知放送受信端末２０５は、上述した告知放送を放送する機能だけでなく、音声信号からＩＰパケットに変換、またはＩＰパケットから音声信号に変換するＶｏＩＰ−ＴＡ機能を有する。また、告知放送受信端末２０５は、ＩＰ電話としてＩＰネットワークに発着信する機能及び一般加入電話として一般加入電話網に発着信する機能を有する。これにより、利用者は、ＩＰ電話、または一般加入電話の発信通話および着信通話を実現することができる。
【００２３】
上述した通り、告知放送受信端末２０５は、告知放送に関する機能と、ＩＰ電話サービスに関する機能とを備えている場合であっても、その２つの機能の連携まではされていなかった。
【００２４】
そのため、コンテンツ提供者は、利用者から連絡を受けたい場合に、例えば、告知放送に連絡先を示す電話番号を含めて放送する。その放送を聴いた利用者は、放送に含まれる電話番号に電話をかけるという手順が必要だった。
【００２５】
ここで、コンテンツ提供者が利用者から連絡を受けたいケースとしては、一例として、通信販売の告知、犬や猫などのペットの行方に関する情報提供を依頼する告知及び複数の選択肢からなるアンケートに対して回答を依頼する告知などがあげられる。
【００２６】
例えば、通信販売の告知やペットの行方に関する情報提供の告知を聴いた利用者がその告知に興味を持った場合に、利用者は、告知放送に含まれる電話番号を記憶すると共に、その電話番号に電話をかける必要がある。しかしながら、当該利用者は、電話番号の桁数が多いために、その電話番号を覚えることができない虞がある。つまり、当該利用者は、コンテンツ提供者に連絡をしようという意志を持ったとしても行動に移さない可能性がある。そのため、当該利用者は、コンテンツ提供者に連絡する機会を損ねる。
【００２７】
また、コンテンツ提供者が複数の選択肢からなるアンケートに対する回答を、利用者から受けたい場合に、例えば、上述した告知放送受信端末２０５には、複数の選択肢を択一できるだけの手段（例えば、選択ボタンなど）が備わっていない。そのため、当該利用者は、アンケートに関する告知放送を聞いた場合であっても、そのアンケートに対して回答することができない。
【００２８】
上述した特許文献１及び特許文献３には、既に放送された告知放送を再放送する、または外出先から告知放送受信端末に伝言を残すことが記載されているに留まり、告知放送を聴いた利用者から連絡を受けることについて、考慮されておらず何ら述べられていない。また、特許文献１及び特許文献３に開示された技術では、桁数の多い電話番号を記憶する必要があるだけでなく、その桁数の多い電話番号をダイヤルする手間が発生する。
【００２９】
また、特許文献２には、電気通信事業者が提供する短縮電話番号サービスを利用することによって、短縮番号に対応づけられた電話番号を発呼する技術が開示されている。即ち、利用者は、当該短縮電話番号サービスを利用することにより発生する利用料金を支払う必要がある。さらに、コンテンツ提供者は、所望の告知放送を配信する（つまり、短縮電話番号サービスを利用する）たびに、電気通信事業者と契約する必要がある。
【００３０】
特許文献１乃至特許文献３に開示された技術では、告知放送に関する機能と、ＩＰ電話サービスに関する機能とを備えている場合であっても、その２つの機能の連携まではされていない。
【００３１】
本発明は、複雑な設定を必要とせずに、所望する動作を容易に実行することができ、操作性に優れた通信装置等を提供することを主たる目的とする。
【課題を解決するための手段】
【００３２】
上記の課題を達成すべく、本発明に係る通信装置は、以下の構成を備えることを特徴とする。
【００３３】
即ち、本発明に係る通信装置は、
１つ以上の登録情報と、その登録情報の数を示す登録情報数と、前記登録情報を受け付けることが可能な時間を示す受付時間と、前記登録情報毎に関連付けられた所定の動作の種別を示す動作種別と、前記所定の動作に関連する値を示す動作情報とが関連付けられた設定情報に基づいて、前記登録情報に応じて、前記所定の動作を実行可能なように自装置の設定を変更する制御部を備え、
前記制御部は、
入力情報が与えられた際に、該入力情報と前記登録情報とが同一か否かを判別し、同一であると判別した場合には、前記入力情報を与えられた時刻が前記受付時間内であるか否かを判別し、前記受付時間内であると判別した場合に、前記登録情報と関連付けられた前記所定の動作を実行する
ことを特徴とする。
【００３４】
或いは、同目的は、上記に示す通信装置を含む告知放送システムによっても達成される。
【００３５】
また、同目的を達成すべく、本発明に係る通信方法は、以下の構成を備えることを特徴とする。
【００３６】
即ち、本発明に係る通信方法は、
１つ以上の登録情報と、その登録情報の数を示す登録情報数と、前記登録情報を受け付けることが可能な時間を示す受付時間と、前記登録情報毎に関連付けられた所定の動作の種別を示す動作種別と、前記所定の動作に関連する値を示す動作情報とが関連付けられた設定情報に基づいて、前記登録情報に応じて、前記所定の動作を実行可能なように通信装置の設定を変更し、
入力情報が与えられるのに応じて、該入力情報と前記登録情報とが同一か否かを判別し、同一であると判別した場合には、前記入力情報を与えられた時刻が前記受付時間内であるか否かを判別し、前記受付時間内であると判別した場合に、前記登録情報と関連付けられた前記所定の動作を実行する
ことを特徴とする。
【００３７】
尚、同目的は、上記の各構成を有する通信装置及び通信方法を、コンピュータによって実現するコンピュータ・プログラム、及びそのコンピュータ・プログラムが格納されている、読み取り可能な記憶媒体によっても達成される。
【発明の効果】
【００３８】
本発明によれば、複雑な設定を必要とせずに、所望する動作を容易に実行することができ、操作性に優れた通信装置等を提供することができる。
【図面の簡単な説明】
【００３９】
【図１】本発明の第１の実施形態における通信装置の構成を示すブロック図である。
【図２】本発明の第１の実施形態における設定情報の構成を概念的に例示する図である。
【図３】本発明の第１の実施形態における通信装置が行う動作を示すフローチャートである。
【図４】本発明の第２の実施形態における通信装置の構成を示すブロック図である。
【図５】本発明の第２の実施形態における通信装置が行う動作を示すフローチャートである。
【図６】本発明の第２の実施形態における設定情報の構成を概念的に例示する図である。
【図７】本発明の第３の実施形態における通信装置の構成を示すブロック図である。
【図８】本発明の第３の実施形態における発信制御部から取得した端末ＩＤを管理するデータベースの構成フォーマットを具体的に例示した図である。
【図９】本発明の第４の実施形態における通信装置を含む告知放送システムの全体構成を概念的に例示するブロック図である。
【図１０】本発明の第４の実施形態における通信装置を含む告知放送受信端末の構成を示すブロック図である。
【図１１】本発明の第４の実施形態における告知放送配信装置の構成を示すブロック図である。
【図１２】本発明の第４の実施形態における放送制御装置の構成を示すブロック図である。
【図１３】本発明の第４の実施形態におけるページング放送装置の構成を示すブロック図である。
【図１４Ａ】本発明の第４の実施形態におけるページング放送装置が行う電話機から放送コンテンツを受け付ける際の動作を示すフローチャート（シーケンス図）である。
【図１４Ｂ】本発明の第４の実施形態におけるページング放送装置が行う電話機から放送コンテンツを受け付ける際の動作を示すフローチャート（シーケンス図）である。
【図１５】本発明の第４の実施形態における告知放送受信端末が行う「動作種別」が「電話」を示す場合の動作を示すフローチャート（シーケンス図）である。
【図１６】本発明の第４の実施形態における告知放送受信端末が行う「動作種別」が「回答」を示す場合の動作を示すフローチャート（シーケンス図）である。
【図１７Ａ】本発明の第４の実施形態における告知放送受信端末が行うダイヤル番号を受け付ける際の動作を示すフローチャートである。
【図１７Ｂ】本発明の第４の実施形態における告知放送受信端末が行うダイヤル番号を受け付ける際の動作を示すフローチャートである。
【図１８】本発明に係る各実施形態を実現可能な情報処理装置のハードウェア構成を例示的に説明するブロック図である。
【図１９】一般的に知られた告知放送システムの構成を例示する図である。
【発明を実施するための形態】
【００４０】
以下、本発明の実施形態について図面を参照して詳細に説明する。
【００４１】
＜第１の実施形態＞
図１は、本発明の第１の実施形態における通信装置１の構成を示すブロック図である。
【００４２】
図１において、通信装置１は、発信制御部２を備える。
【００４３】
発信制御部２は、設定情報１０１を受信するのに応じて、その設定情報１０１に基づいて、予め登録された登録情報に応じて、所定の動作を実行可能なように自装置の設定を変更する。より具体的に、発信制御部２は、外部から与えられた入力情報１０２が登録情報（「短縮ダイヤル番号」）である場合に、その入力情報１０２に応じて、所定の動作を実行可能なように、設定情報１０１に基づき自装置の設定を切り替える。
【００４４】
また、発信制御部２は、入力情報１０２が登録情報である場合に、その登録情報に関連付けられた所定の動作を実行する。即ち、発信制御部２は、入力情報１０２が「短縮ダイヤル番号」である場合に、その「短縮ダイヤル番号」に関連付けられた所定の動作を実行する。
【００４５】
以下の説明において、説明の便宜上、本実施形態では、入力情報１０２は、例えば、電話機のダイヤルボタンが押下されるのに応じて、電話機から出力されるダイヤル番号である。
【００４６】
また、設定情報１０１は、例えば、不図示の告知放送配信装置（例えば、図１９に示す告知放送配信装置２０３）から告知放送を配信する場合に、その告知放送に関する設定情報である。
【００４７】
より具体的に、設定情報１０１は、配信する放送コンテンツを識別可能な「コンテンツＩＤ（Ｉｄｅｎｔｉｆｉｃａｔｉｏｎ」と、予め設定された１つ以上の短縮ダイヤルの番号を示す「短縮ダイヤル番号（登録情報）」と、「短縮ダイヤル番号」の数を示す「短縮ダイヤル数（登録情報数）」と、その短縮ダイヤル番号を受け付けた際に行われる所定の動作の種別を示す「動作種別」と、その所定の動作に関連する値を含む「動作情報」と、発信制御部２が短縮ダイヤル番号を受け付ける時間を示す「受付時間」とを含む。即ち、設定情報１０１は、コンテンツＩＤをキーとして、「短縮ダイヤル数」と、「短縮ダイヤル番号」と、「動作種別」と、「動作情報」と、「受付時間」とが関連付けられた情報である。
【００４８】
図２は、本発明の第１の実施形態における設定情報１０１の構成を概念的に例示する図である。
【００４９】
図２において１列目は、「コンテンツＩＤ」を示す。２列目は、「短縮ダイヤル数」を示す。３列目は、「短縮ダイヤル番号」を示す。４列目は、「動作種別」を示す。５列目は、「動作情報」を示す。６列目は、「受付時間」を示す。
【００５０】
より具体的に、「短縮ダイヤル番号（登録情報）」は、電話機により入力可能な値を、例えば、利用者が覚えやすいように１桁乃至４桁の値を組み合わせることにより定義された値である。但し、本実施形態を例に説明する本発明は、前述した構成には限定されない（以下、各実施形態においても同様）。
【００５１】
「短縮ダイヤル数」は、「短縮ダイヤル番号」の数を示す値である。「短縮ダイヤル数」は、１つ以上の整数値により設定する構成を採用してもよい。より具体的に、一例として、自装置に４つの「短縮ダイヤル番号」を設定する場合に、「短縮ダイヤル数」は、「４」となる。
【００５２】
尚、利用者の利便性を考慮して、「短縮ダイヤル数」は、「０」乃至「５」の整数値に設定されることが望ましい。また、「短縮ダイヤル数」が「０」に設定された場合に、「短縮ダイヤル番号」は、ブランクとすることとする（例えば、図８に示す１０行目）。
【００５３】
「動作種別」は、「短縮ダイヤル番号」を受け付けた際に、発信制御部２が行う所定の動作の種別を示す。一例として、「動作種別」は、所定の電話番号を発呼することを表す情報として、例えば、「電話」を含む。
【００５４】
「動作情報」は、所定の動作に関連する値である。より具体的に、一例として、「動作種別」が「電話」である場合に、「動作情報」は、所定の電話番号を示す値（以降、本願では、「電話番号を示す値」を単に「電話番号」と称する）である。但し、本実施形態を例に説明する本発明は、前述した構成には限定されない（以下、各実施形態においても同様）。
【００５５】
「受付時間」は、発信制御部２が設定情報１０１を受信した時刻から「受付時間」までの間に亘って、外部から登録情報が与えられるのを受け付ける時間である。
【００５６】
尚、以下の説明において、説明の便宜上、本願では、設定情報１０１を受信した時刻から「受付時間」までの間を、受付期間と称する。
【００５７】
次に、発信制御部２は、設定情報１０１に基づいて、自装置の設定が完了したことを示す情報を外部装置に対して通知する。より具体的に、一例として、発信制御部２は、自装置の設定が完了したことを示す情報を含むパケットを、告知放送配信装置（不図示、例えば、図９に示す告知放送配信装置２０３）に対して送信する。これにより、自装置の設定が完了したことを示す情報を受信した告知放送配信装置は、告知放送の配信を開始することができる。
【００５８】
発信制御部２は、設定情報１０１を受信した時刻から「受付時間」までの間に亘って、入力情報１０２を受け付ける。
【００５９】
発信制御部２は、設定情報１０１を受信した時刻から「受付時間」までの間において、入力情報１０２を受け付けた場合に、入力情報１０２が登録情報と同じ値であるか否かを判別する。発信制御部２は、入力情報１０２と登録情報とが同じ値であると判別した場合に、登録情報に関連付けられた「動作種別」と「動作情報」とに基づき所定の処理を実行する。
【００６０】
尚、発信制御部２は、設定情報１０１を受信した時刻から「受付時間」までの間において、電話機より登録情報と異なる他のダイヤル番号を受け付けた場合に、その異なる他のダイヤル番号を発呼する。
【００６１】
また、発信制御部２は、設定情報１０１を受信した時刻から「受付時間」を経過した場合に、登録情報を受け付けることを解除する。即ち、発信制御部２は、受付期間を経過した場合に、登録情報の受け付けを終了する。
【００６２】
これにより、発信制御部２は、登録情報を受け付けた場合であっても、登録情報に関連付けられた「動作種別」と「動作情報」とに基づき処理を実行しない。発信制御部２は、入力情報１０２に基づき発呼する。
【００６３】
以下の説明において、より具体的に、本実施形態における通信装置１の動作について説明する。
【００６４】
図３は、本発明の第１の実施形態における通信装置１が行う動作を示すフローチャートである。係るフローチャートに沿って通信装置１の動作手順を説明する。
【００６５】
ここでは、説明の便宜上、一例として、告知放送配信装置（不図示）は、告知放送を配信する前に、通信装置１に対して設定情報１０１を含む放送開始制御パケットを送信することとする。また、告知放送配信装置から配信される告知コンテンツは、例えば、商品を紹介するメッセージと、その商品の購入を申し込む際の連絡先を示す短縮ダイヤル番号とを含むこととする。
【００６６】
また、設定情報１０１は、コンテンツＩＤの値を「１」、「短縮ダイヤル数」の値を「１」、「短縮ダイヤル番号」の値を「＃１」、「動作種別」の値を「電話」、「動作情報」を「０３１２３４５６７８」及び「受付時間」の値を「３分」とする。さらに、入力情報１０２は、「＃１」とする。
【００６７】
尚、説明の便宜上、上述した構成を例に説明するが、本実施形態を例に説明する本発明は、前述した構成にはこれに限定されない（以下の実施形態においても同様）。
【００６８】
ステップＳ１：
発信制御部２は、設定情報１０１に基づいて、入力情報１０２が「短縮ダイヤル番号」（登録情報）である場合に、その入力情報１０２に応じて、所定の動作を実行可能なように自装置の設定を変更する（切り替える）。さらに、発信制御部２は、設定情報１０１に基づき、所定の動作を実行可能な状態に変更した際に、自装置の設定が完了したことを示す情報を含むパケットを、告知放送配信装置に対して送信する。
【００６９】
ここでは、発信制御部２は、設定情報１０１を受信した時刻から３分の間に亘って、外部から入力情報１０２として「＃１」を受け付けた場合に、電話番号「０３１２３４５６７８」を発呼するよう自装置の設定を変更することとする。
【００７０】
また、係るパケットを受信した告知放送配信装置は、そのパケットを受信するのに応じて、告知放送の配信を開始することとする。告知放送を聴いた利用者は、告知放送に含まれる短縮ダイヤル番号を、電話機を用いてダイヤルすることとする。電話機は、ダイヤルボタンが押下されるのに応じて、そのダイヤル番号を入力情報１０２として出力することとする。
【００７１】
ステップＳ２：
発信制御部２は、入力情報１０２を受け付けるのに応じて、その入力情報１０２が「短縮ダイヤル番号」と同じ値であるか否かを判別する。
【００７２】
ステップＳ２において「ＹＥＳ」：
発信制御部２は、入力情報１０２が「短縮ダイヤル番号」と同じ値であるか否かを判別した結果、入力情報１０２と「短縮ダイヤル番号」とが同じ値であると判別した場合に、処理をステップＳ３に進める。
【００７３】
ステップＳ２において「ＮＯ」：
発信制御部２は、入力情報１０２が「短縮ダイヤル番号」と同じ値であるか否かを判別した結果、入力情報１０２と「短縮ダイヤル番号」とが同じ値でない（つまり、異なる）と判別した場合に、処理をステップＳ５に進める。
【００７４】
ステップＳ３：
発信制御部２は、入力情報１０２を受け付けた時刻が受付期間に含まれるか否か（つまり、受付期間内か否か）を判別する。
【００７５】
ここでは、発信制御部２は、入力情報１０２を受け付けた時刻が設定情報１０１を受信した時刻から「３分」以内であるか否かを判別することとする。
【００７６】
ステップＳ３において「ＹＥＳ」：
発信制御部２は、入力情報１０２を受け付けた時刻が受付期間内であるか否かを判別した結果、受付期間内であると判別した場合に、処理をステップＳ４に進める。
【００７７】
ステップＳ３において「ＮＯ」：
発信制御部２は、入力情報１０２を受け付けた時刻が受付期間内であるか否かを判別した結果、受付期間内でない（つまり、受付期間を経過した）と判別した場合に、処理をステップＳ５に進める。
【００７８】
ステップＳ４：
発信制御部２は、「動作種別」と「動作情報」とに基づき処理を実行する。即ち、発信制御部２は、「動作種別」が「電話」であるため、「短縮ダイヤル番号」に関連付けられた所定の電話番号に変換すると共に、その変換した所定の電話番号を発呼する。
【００７９】
ここでは、発信制御部２は、「動作情報」に含まれる「０３１２３４５６７８」を発呼することとする。
【００８０】
尚、上述した本実施形態では、説明の便宜上、一例として、発信制御部２は、ステップＳ２に示す処理を実行後に、ステップＳ３に示す処理を実行する構成を例に説明した。しかしながら本発明に係る実施形態は、係る構成に限定されない。発信制御部２は、ステップＳ３に示す処理を実行後に、ステップＳ２に示す処理を実行する構成を採用してもよい。
【００８１】
ステップＳ５：
発信制御部２は、受け付けた入力情報１０２に基づき発呼する。より具体的に、発信制御部２は、受け付けたダイヤル番号を発呼する。
【００８２】
尚、発信制御部２は、発呼する電話番号がＩＰ電話サービスを利用できる番号であれば、呼制御装置（不図示、例えば、図９に示す呼制御装置２０４）に発呼する。その一方で、発信制御部２は、発呼する電話番号がＩＰ電話サービスを利用できない番号であれば、一般加入電話回線網に発呼する。
【００８３】
この発呼先の選定は、利用者が加入している電話サービスによって異なる。より具体的に、例えば、発信制御部２は、利用者が固定電話サービスに代わることのできる「プライマリ電話サービス」に加入している場合に、全ての電話番号を呼制御装置に発呼する。一方で、発信制御部２は、利用者が固定電話サービスとＩＰ電話サービスとを併用する「セカンダリ電話サービス」に加入している場合に、緊急通報用電話番号である「１１０」や「１１９」等の特別番号及びフリーダイヤルの番号を一般加入電話回線網に発呼する。また、発信制御部２は、当該特別番号及びフリーダイヤルの番号以外の電話番号を呼制御装置に発呼する。発信制御部２がダイヤル番号を発呼する技術自体は、現在では一般的な技術を採用することができるので、本実施形態における詳細な説明は省略する（以下、各実施形態においても同様）。
【００８４】
また、上述した本実施形態では、説明の便宜上、一例として、発信制御部２は、所定の短縮ダイヤル番号をダイヤルされることに応じて、その短縮ダイヤル番号に関連付けられた所定の電話番号を発呼する構成を例に説明した。しかしながら本発明に係る実施形態は、係る構成に限定されない。発信制御部２は、例えば、電話機がオフフック（つまり、受話器があげられた）状態を検知するのに応じて、所定の動作を実行する構成を採用してもよい。
【００８５】
その場合に、発信制御部２は、電話機のオフフック状態を検知するのに応じて、オフフック状態を検知した時刻が受付期間に含まれるか否か（つまり、受付期間内か否か）を判別する。発信制御部２は、入力情報１０２を受け付けた時刻が受付期間内であるか否かを判別した結果、受付期間内であると判別した場合に、「動作種別」と「動作情報」とに基づき処理を実行する。即ち、発信制御部２は、「動作情報」に含まれる所定の電話番号を発呼する。
【００８６】
さらに、上述した本実施形態では、説明の便宜上、一例として、通信装置１は、発信制御部２を備えると共に、発信制御部２が図３に示すフローチャートにおいて説明した処理を実行する構成を例に説明した。しかしながら本発明に係る実施形態は、係る構成に限定されない。通信装置１は、例えば、発信制御部２を備えることなく、自装置と異なる他の制御部や外部装置が図３に示すフローチャートのステップＳ４において説明した登録情報と関連付けられた所定の動作を実行するように制御する通信制御装置として動作する構成を採用してもよい（以下、各実施形態においても同様）。
【００８７】
このように本実施の形態に係る通信装置１によれば、複雑な設定を必要とせずに、所望する動作を容易に実行することができ、優れた操作性を実現することができる。その理由は、以下に述べる通りである。
【００８８】
即ち、通信装置１の発信制御部２は、受信した設定情報１０１に基づいて、自装置の設定を変更することができる。そのため、例えば、利用者は、通信装置１の設定を変更する必要がない。また、発信制御部２は、短縮ダイヤル番号を受け付けるのに応じて、短縮ダイヤル番号に関連付けられた動作種別、動作情報に基づいて、処理を実行する。そのため、利用者は、短縮ダイヤル番号を容易に記憶することができるだけでなく、短縮ダイヤル番号を押下するだけで所望の動作を実行することができる。
【００８９】
また、コンテンツ提供者は、電気通信事業者と契約する必要がない。その理由は、発信制御部２は、配信する放送コンテンツに応じて、設定された設定情報１０１に基づいて、自装置の設定を変更することができるからである。
【００９０】
＜第２の実施形態＞
次に、上述した本発明の第１の実施形態に係る通信装置１を基本とする第２の実施形態について説明する。以下の説明においては、本実施形態に係る特徴的な部分を中心に説明する。その際、上述した各実施形態と同様な構成については、同一の参照番号を付すことにより、重複する説明は省略する。
【００９１】
本発明の第２の実施形態における通信装置１０について、図３乃至図６を参照して説明する。
【００９２】
図４は、本発明の第２の実施形態における通信装置１０の構成を示すブロック図である。図４において、通信装置１０は、発信制御部１１を備える。
【００９３】
本実施形態において、発信制御部１１は、受け付けた入力情報１０２が登録情報（「短縮ダイヤル番号」）である場合に、その入力情報１０２を通知する機能を、さらに有する点が第１の実施形態において説明した通信装置１の発信制御部２と異なる。
【００９４】
より具体的に、発信制御部１１は、設定情報１０１を受信した時刻から「受付時間」までの間に亘って、「短縮ダイヤル番号」を受け付けた場合に、その「短縮ダイヤル番号」を含むパケットを、例えば、不図示の告知放送配信装置（例えば、図９に示す告知放送配信装置２０３）に対して送信する。
【００９５】
以下の説明において、より具体的に、本実施形態における通信装置１０の動作について説明する。
【００９６】
図５は、本発明の第２の実施形態における通信装置１０が行う動作を示すフローチャートである。係るフローチャートに沿って通信装置１０の動作手順を説明する。図３に示すフローチャートにおいて説明した第１の実施形態と同様な動作については、同一の参照番号を付すことにより、重複する説明は省略する。
【００９７】
ここでは、説明の便宜上、一例として、告知放送配信装置（不図示）は、告知放送を配信する前に、通信装置１０に対して設定情報１０１を含む放送開始制御パケットを送信することとする。また、告知放送配信装置から配信される告知コンテンツは、例えば、複数の選択肢からなるアンケートに対する回答を依頼するメッセージと、そのアンケートの選択肢と関連付けられた「短縮ダイヤル番号」とを含むこととする。
【００９８】
図６は、本発明の第２の実施形態における設定情報１０１の構成を概念的に例示する図である。
【００９９】
図６において１列目は、「コンテンツＩＤ」を示す。２列目は、「短縮ダイヤル数」を示す。３列目は、「短縮ダイヤル番号」を示す。４列目は、「動作種別」を示す。５列目は、「動作情報」を示す。６列目は、「受付時間」を示す。
【０１００】
より具体的に、図６に示すように、設定情報１０１は、コンテンツＩＤの値を「２」、「短縮ダイヤル数」の値を「４」、「短縮ダイヤル番号」の値を「＃１、＃２、＃３及び＃４」、「動作種別」の値を「回答」及び「受付時間」の値を「３分」とする。つまり、発信制御部１１は、設定情報１０１に基づき「＃１、＃２、＃３及び＃４」の４つの「短縮ダイヤル番号」を、自装置に設定する。さらに、入力情報１０２は、「＃２」とする。
【０１０１】
尚、「動作情報」は、「動作種別」の値が「回答」である場合に、ブランクとすることとする。
【０１０２】
また、説明の便宜上、上述した構成を例に説明するが、本実施形態を例に説明する本発明は、前述した構成にはこれに限定されない（以下の実施形態においても同様）。
【０１０３】
ステップＳ１１：
発信制御部１１は、受け付けた入力情報１０２に関連付けられた「動作種別」に基づいて、所定の動作の種別を判別する。より具体的に、発信制御部１１は、受け付けた「短縮ダイヤル番号」に関連付けられた「動作種別」に基づいて、所定の動作の種別を判別する。
【０１０４】
ステップＳ１１において「ＹＥＳ」：
発信制御部１１は、「動作種別」に基づいて、所定の動作の種別を判別した結果、「動作種別」が所定の電話番号を発呼することを表す「電話」である場合に、処理をステップＳ４に進める。
【０１０５】
ステップＳ１１において「ＮＯ」：
発信制御部１１は、「動作種別」に基づいて、所定の動作の種別を判別した結果、「動作種別」が入力情報１０２を通知することを表す「回答」である場合に、処理をステップＳ１２に進める。
【０１０６】
ステップＳ１２：
発信制御部１１は、受け付けた入力情報１０２を外部装置に対して通知する。より具体的に、発信制御部１１は、入力情報１０２を含むパケットを、外部装置に対して送信する。
【０１０７】
ここでは、発信制御部１１は、受け付けた短縮ダイヤル番号「＃２」を含むパケットを、告知放送配信装置に対して送信することとする。
【０１０８】
上述した本実施形態によれば、例えば、告知放送配信装置は、発信制御部１１から入力情報１０２（つまり、「短縮ダイヤル番号」）を受信した場合に、受信した「短縮ダイヤル番号」に基づいて、「短縮ダイヤル番号」の数を管理することができる。一例として、複数の選択肢からなるアンケートに対する回答を依頼する場合に、コンテンツ提供者は、受け付けた「短縮ダイヤル番号」を含むパケットに基づき管理することによって、どの選択肢がいくつ選択されたかを把握することができる。
【０１０９】
尚、上述した本実施形態では、説明の便宜上、一例として、発信制御部１１は、短縮ダイヤル番号に関連付けられた電話番号を発呼する、または短縮ダイヤル番号を通知する構成を例に説明した。しかしながら本発明に係る実施形態は、係る構成に限定されない。発信制御部１１は、例えば、短縮ダイヤル番号に関連付けられた電子メールアドレスにメールを配信する構成を採用してもよい。また、発信制御部１１は、例えば、短縮ダイヤル番号に関連付けられたＦＡＸ番号にＦＡＸを送信する構成を採用してもよい。発信制御部１１は、例えば、短縮ダイヤル番号に関連付けられたＩＰアドレスにメッセージを送信する構成を採用してもよい。
【０１１０】
その場合に、設定情報１０１は、例えば、「短縮ダイヤル数」の値を「１」、「短縮ダイヤル番号」の値を「＃１」、「動作種別」の値を「メール」、「動作情報」を「電子メールアドレス」及び「受付時間」の値を「３分」とする構成を採用することができる。
【０１１１】
このように本実施の形態に係る通信装置１０によれば、第１の実施形態において説明した効果を享受できると共に、さらに、複雑な設定を必要とせずに、所望する動作を容易に実行することができ、優れた操作性を実現することができる。
【０１１２】
その理由は、通信装置１０は、自装置に複数の選択肢を択一できるだけの手段が備わっていない場合であっても、受け付けた入力情報１０２を外部装置に対して送信することができるからである。そのため、例えば、利用者は、例えば、複数の選択肢からなるアンケートに対して回答することができる。
【０１１３】
＜第３の実施形態＞
次に、上述した本発明の第２の実施形態に係る通信装置１０を基本とする第３の実施形態について説明する。以下の説明においては、本実施形態に係る特徴的な部分を中心に説明する。その際、上述した各実施形態と同様な構成については、同一の参照番号を付すことにより、重複する説明は省略する。
【０１１４】
本発明の第３の実施形態における通信装置２０について、図５、図７及び図８を参照して説明する。
【０１１５】
図７は、本発明の第３の実施形態における通信装置２０の構成を示すブロック図である。図７において、通信装置２０は、発信制御部２１を備える。
【０１１６】
本実施形態において、発信制御部２１は、入力情報１０２を外部装置に対して通知する際に、さらに、自装置を一意に識別可能な識別情報も通知する機能を、有する点が第２の実施形態において説明した発信制御部１１と異なる。即ち、発信制御部２１は、入力情報１０２と、自装置の識別情報とを外部装置に対して通知する。
【０１１７】
より具体的に、発信制御部２１は、図５に示すステップＳ１２において、受け付けた入力情報１０２を含むパケットを外部装置に対して送信する際に、例えば、自装置の端末ＩＤ（識別情報）を当該パケットに含めて送信する。
【０１１８】
これにより、例えば、係るパケットを受信した外部装置は、どの通信装置２０からパケットが送信されたかを、容易に管理できるだけでなく、同一の通信装置２０から重複してパケットを受信することを抑制することができる。即ち、コンテンツ提供者は、アンケートに対する重複回答を防ぐことができる。また、例えば、端末ＩＤと関連付けて通信装置２０が設置されている地域を管理することによって、コンテンツ提供者は、アンケートに対する回答に地域差があるか等の分析を、さらに行うことができる。
【０１１９】
その場合に、係る外部装置は、図８に示すデータベースのように「短縮ダイヤル番号」が選択された回数を示す「選択回数」と、「端末ＩＤ」とを、設定情報１０１と関連付けて管理する構成を採用してもよい。より具体的に、当該外部装置は、「選択回数」と、「端末ＩＤ」とを、「コンテンツＩＤ」と「短縮ダイヤル番号」と関連付けて管理する構成を採用してもよい。
【０１２０】
図８は、本発明の第３の実施形態における発信制御部２１から取得した端末ＩＤを管理するデータベースの構成フォーマットを具体的に例示した図である。
【０１２１】
図８において１列目は、「コンテンツＩＤ」を示す。２列目は、「短縮ダイヤル数」を示す。３列目は、「短縮ダイヤル番号」を示す。４列目は、「動作種別」を示す。５列目は、「動作情報」を示す。６列目は、「選択回数」を示す。７列目は、「端末ＩＤ」を示す。
【０１２２】
より具体的に、図８において３行目は、端末ＩＤ「３」、端末ＩＤ「７」及び端末ＩＤ「８」を有する通信装置２０から短縮ダイヤル番号「＃１」と、自装置の端末ＩＤとを含むパケットを受信したことを示す。また、３行目において「選択回数」は、端末ＩＤ「３」、端末ＩＤ「７」及び端末ＩＤ「８」を有する３つの通信装置２０からパケットを受信したため、「３」となる。
【０１２３】
尚、上述した本実施形態では、説明の便宜上、一例として、発信制御部２１は、入力情報１０２と、自装置の端末ＩＤとを含むパケットを送信する構成を例に説明した。しかしながら本発明に係る実施形態は、係る構成に限定されない。発信制御部２１は、入力情報１０２と、例えば、通信装置２０の製造号機やＭＡＣ（Ｍｅｄｉａ＿Ａｃｃｅｓｓ＿Ｃｏｎｔｒｏｌ）アドレス等の通信装置２０を一意に特定することができる情報とを含むパケットを送信する構成を採用してもよい。また、例えば、発信制御部２１は、さらに、自装置の故障情報や位置情報等の各種情報を、当該パケットに含めて送信する構成を採用してもよい。
【０１２４】
このように本実施の形態に係る通信装置２０によれば、各実施形態において説明した効果を享受できると共に、さらに、通信装置２０から送信される情報に基づいて、入力情報１０２だけでなく、通信装置２０に関する情報を管理することができる。その理由は、発信制御部２１は、端末ＩＤ等の自装置に関する各種情報を外部機器に対して送信することができるからである。
【０１２５】
＜第４の実施形態＞
次に、上述した本発明の第３の実施形態に係る通信装置２０を基本とする実施形態について説明する。以下の説明においては、本実施形態に係る特徴的な部分を中心に説明する。その際、上述した各実施形態と同様な構成については、同一の参照番号を付すことにより、重複する説明は省略する。
【０１２６】
本発明の第４の実施形態における通信装置３１について、図５、図９乃至図１７を参照して説明する。
【０１２７】
図９は、本発明の第４の実施形態における通信装置３１を含む告知放送システム３０の全体構成を概念的に例示するブロック図である。
【０１２８】
図９において、告知放送システム３０は、放送制御装置２０１と、ページング放送装置２０２と、告知放送配信装置２０３と、呼制御装置２０４と、通信装置３１を含む告知放送受信端末３３と、ＶｏＩＰ−ＴＡ２０６と、電話機２０７とを有する。
【０１２９】
尚、以下の説明において、説明の便宜上、一例として、本実施形態では、告知放送受信端末３３に接続された電話機２０７を第１電話機と称する。また、本実施形態では、ＶｏＩＰ−ＴＡ２０６に接続された電話機２０７を第２電話機と称する。
【０１３０】
図１０は、本発明の第４の実施形態における通信装置３１を含む告知放送受信端末３３の構成を示すブロック図である。図１０において、通信装置３１は、発信制御部３２を備える。また、告知放送受信端末３３は、第１通信部４１と、第１記憶部４２と、音声再生部４３と、操作部４４と、通知部４５とを有する。
【０１３１】
発信制御部３２は、上述した各実施形態において説明した処理を実行するだけでなく、さらに、告知放送に関する機能を有する。
【０１３２】
より具体的に、発信制御部３２は、第１通信部４１を介して告知放送配信装置２０３から受信した音声情報（音声データ）を第１記憶部４２に格納する。発信制御部３２は、受信した音声情報を、音声再生部４３により内蔵、または外付けのスピーカ（不図示）から音声として再生する。また、発信制御部３２は、例えば、再生音量を調整する調整用ツマミや利用者が聴き逃した告知放送を改めて再生する（留守録放送を再生する）再生用ボタンからなる操作部４４を、操作されるのに応じて、第１記憶部４２に格納された告知放送（つまり、音声情報）を音声再生部４３により再生する。発信制御部３２は、例えば、ＬＥＤ（Ｌｉｇｈｔ＿Ｅｍｉｔｔｉｎｇ＿Ｄｉｏｄｅ）ランプ等からなる通知部４５に告知放送受信端末３３の動作状況を表示する。
【０１３３】
図１１は、本発明の第４の実施形態における告知放送配信装置２０３の構成を示すブロック図である。図１１において、告知放送配信装置２０３は、第１制御部５１と、第２通信部５２と、第２記憶部５３と、データベース部５４とを有する。
【０１３４】
告知放送配信装置２０３は、第２通信部５２を介して放送制御装置２０１、またはページング放送装置２０２から音声情報と設定情報とを受信すると共に、その受信した音声情報と設定情報とに基づいて、告知放送を配信することができる。
【０１３５】
第１制御部５１は、第２記憶部５３に格納された制御プログラムに基づいて、告知放送配信装置２０３全体の制御を行う。第１制御部５１は、第２通信部５２を介して放送制御装置２０１、またはページング放送装置２０２から音声情報と設定情報とを受信すると共に、その受信した音声情報と設定情報とをデータベース部５４に記憶する。
【０１３６】
また、第１制御部５１は、放送コンテンツ毎に設定情報、放送するスケジュール、配信する対象者情報、放送履歴及び繰り返して放送する場合に、その繰り返した回数に関する情報を関連付けてデータベース部５４に記憶する。
【０１３７】
第１制御部５１は、告知放送を配信する際に、データベース部５４からその告知放送に関連する情報（「コンテンツＩＤ」、「短縮ダイヤル数」、「短縮ダイヤル番号」、「動作種別」、「動作情報」及び「受付時間」）を抽出する。第１制御部５１は、は、その抽出した設定情報に基づいて、設定情報１０１を生成する。さらに、第１制御部５１は、第２通信部５２を介して設定情報１０１を含む放送開始制御パケット１０３を、告知放送受信端末３３に対して送信する。
【０１３８】
次に、第１制御部５１は、第２通信部５２を介して告知放送受信端末３３の発信制御部３２から設定情報１０１に基づいて、自装置の設定が完了したことを示す情報を含むパケットを受信する。第１制御部５１は、当該パケットを受信するのに応じて、告知放送の配信を開始すると共に、放送コンテンツである音声情報を告知放送受信端末３３に対して送信する。
【０１３９】
また、第１制御部５１は、発信制御部３２から入力情報１０２と、自装置の端末ＩＤとを含むパケットを受信した場合には、入力情報１０２と端末ＩＤとに基づいて、「選択回数」をカウントアップすると共に、そのカウントアップした値と端末ＩＤとをデータベース部５４に記憶する。
【０１４０】
図１２は、本発明の第４の実施形態における放送制御装置２０１の構成を示すブロック図である。図１２において、放送制御装置２０１は、第２制御部６１と、第３通信部６２と、第３記憶部６３と、表示部６４と、入力部６５と、第１変換部６６と、マイク６７とを有する。
【０１４１】
放送制御装置２０１は、告知放送を配信する際に必要となる音声情報の入力と各種設定とを行うことができる。また、放送制御装置２０１は、その音声情報と設定情報とを告知放送配信装置２０３に対して送信することができる。
【０１４２】
第２制御部６１は、第３記憶部６３に格納された制御プログラムに基づいて、放送制御装置２０１全体の制御を行う。
【０１４３】
第２制御部６１は、例えば、ディスプレイ等の表示部６４に設定画面を出力する。第２制御部６１は、コンテンツ提供者が表示部６４に表示された設定画面を参照すると共に、キーボードやマウスなどの入力部６５を用いて入力した告知放送を配信する配信日時、配信地域、配信する対象者等及び設定情報１０１に関する設定を第３記憶部６３に記憶する。
【０１４４】
第１変換部６６は、マイク６７から入力される音声をデジタルデータに変換すると共に、変換した音声情報を第３記憶部６３に記憶する。
【０１４５】
第２制御部６１は、第３通信部６２を介して告知放送配信装置２０３に対してそれら音声情報と設定情報とを送信する。
【０１４６】
図１３は、本発明の第４の実施形態におけるページング放送装置２０２の構成を示すブロック図である。図１３において、ページング放送装置２０２は、第３制御部７１と、第４通信部７２と、第４記憶部７３と、第２変換部７４と、電話回線接続部７５とを有する。
【０１４７】
電話回線網７６を介して電話回線接続部７５に接続された電話機７７は、告知放送を配信する際に必要となる音声情報と設定情報とをページング放送装置２０２に入力することができる。また、ページング放送装置２０２は、第４通信部７２を介してその音声情報と設定情報とを告知放送配信装置２０３に対して送信することができる。
【０１４８】
第３制御部７１は、第４記憶部７３に格納された制御プログラムに基づいて、ページング放送装置２０２全体の制御を行う。また、例えば、第４記憶部７３に格納された制御プログラムには、音声や各種設定情報を入力する際に、コンテンツ提供者が容易に作業を進めることが可能なように音声ガイダンスを再生する処理を有する構成を採用してもよい。
【０１４９】
第３制御部７１は、電話機７７から入力されるダイヤル番号を解析すると共に、その解析結果に基づき告知放送に関する設定情報を第４記憶部７３に記憶する。
【０１５０】
第２変換部７４は、電話回線接続部７５を介して電話機７７から入力される音声をデジタルデータに変換すると共に、変換した音声情報を第４記憶部７３に記憶する。
【０１５１】
第３制御部７１は、これら音声情報と設定情報とを第４通信部７２を介して告知放送配信装置２０３に対して送信する。
【０１５２】
以下の説明において、より具体的に、本実施形態におけるページング放送装置２０２の動作について説明する。
【０１５３】
図１４（図１４Ａ及び図１４Ｂ）は、本発明の第４の実施形態におけるページング放送装置２０２が行う電話機７７から放送コンテンツを受け付ける際の動作を示すフローチャート（シーケンス図）である。係るフローチャートに沿ってページング放送装置２０２と電話機７７との動作手順を説明する。
【０１５４】
ここでは、説明の便宜上、一例として、電話回線網７６を介して電話機７７から入力された音声情報を告知放送として配信することとする。
【０１５５】
ステップＳ１０１：
電話機７７は、所定の電話番号に発信する。
【０１５６】
ステップＳ１０２：
電話回線接続部７５は、電話回線網７６を介して着信する。
【０１５７】
ステップＳ１０３：
第３制御部７１は、電話回線接続部７５に着信すると、その着信に対して応答する。これにより、電話機７７とページング放送装置２０２との通話は、確立すると共に、電話機７７とページング放送装置２０２との双方から音声及びダイヤル信号を疎通可能な状態となる。
【０１５８】
ここで、ダイヤル信号とは、ダイヤル信号として一般的に用いられるＤＴＭＦ（Ｄｕａｌ−Ｔｏｎｅ＿Ｍｕｌｔｉ−Ｆｒｅｑｕｅｎｃｙ）信号である。ダイヤル信号は、トーン信号、プッシュ信号とも呼ばれる。このＤＴＭＦ信号は、２つの音声帯域周波数を組み合わせた音である。そのため、ダイヤル信号は、通話中であっても、音声と同様に伝搬する。また、ダイヤル信号は、発信時のダイヤル入力と同様に、１２３４５６７８９０＊＃などの情報を伝えることができる。
【０１５９】
次に、第３制御部７１は、第４通信部７２を介して告知放送を行いたい地域の情報（例えば、エリアコード）を入力するように促すガイダンスを表す音声情報を電話機７７に対して送信する。
【０１６０】
ここで、エリアコードとは、告知放送を配信する地域、あるいは告知放送を配信するグループを指定するコードである。これにより、例えば、告知放送配信装置２０３は、特定の集落に向けて放送することができる。
【０１６１】
例えば、係るガイダンスとしては、「エリアコードを入力して下さい。入力が終わりましたら＃を入力して下さい。」というような音声メッセージを再生する構成を採用してもよい。当該ガイダンスは、音声情報として第４記憶部７３に格納されていることとする（以下、各実施形態においても同様）。
【０１６２】
尚、上述した本実施形態では、説明の便宜上、一例として、第３制御部７１は、図１４に示すステップＳ１０３においてエリアコードの入力を促すガイダンスを再生する構成を例に説明した。しかしながら本発明に係る実施形態は、係る構成に限定されない。例えば、第３制御部７１は、利用者の認証ＩＤと暗証番号との入力を促すガイダンスを再生する構成を採用してもよい。その場合に、第３制御部７１は、入力された認証ＩＤと暗証番号とに基づいて、認証する構成を採用することができる。
【０１６３】
ステップＳ１０４：
電話機７７は、第３制御部７１から受信したガイダンスを表す音声情報を再生する。
【０１６４】
ステップＳ１０５：
電話機７７は、利用者によりダイヤルボタンが押下されることによって、その押下されたダイヤル番号を第３制御部７１に対して送信する。
【０１６５】
ステップＳ１０６：
第３制御部７１は、第４通信部７２を介して電話機７７からダイヤル番号を受信する。第３制御部７１は、電話機７７から受信したダイヤル番号を「エリアコード」として第４記憶部７３に一時的に記憶する。さらに、第３制御部７１は、第４通信部７２を介して所望の「短縮ダイヤル番号数」を入力するように促すガイダンスを表す音声情報を電話機７７に対して送信する。
【０１６６】
例えば、係るガイダンスとしては、「短縮ダイヤル番号数を入力して下さい。入力が終わりましたら＃を入力して下さい。」というような音声メッセージを再生する構成を採用してもよい。
【０１６７】
ステップＳ１０７：
電話機７７は、第３制御部７１から受信したガイダンスを表す音声情報を再生する。
【０１６８】
ステップＳ１０８：
電話機７７は、利用者によりダイヤルボタンが押下されることによって、その押下されたダイヤル番号を第３制御部７１に対して送信する。
【０１６９】
ここでは、説明の便宜上、一例として、電話機７７は、「短縮ダイヤル番号数」として「１」を第３制御部７１に対して送信することとする。
【０１７０】
ステップＳ１０９：
第３制御部７１は、第４通信部７２を介して電話機７７からダイヤル番号を受信する。第３制御部７１は、電話機７７から受信したダイヤル番号を「短縮ダイヤル番号数」として第４記憶部７３に一時的に記憶する。次に、第３制御部７１は、第４通信部７２を介して「短縮ダイヤル番号」を設定するか否かを選択するように促すガイダンスを表す音声情報を電話機７７に対して送信する。
【０１７１】
例えば、係るガイダンスとしては、「短縮ダイヤル番号を設定する場合は１を、設定しない場合は０を入力して下さい。」というような音声メッセージを再生する構成を採用してもよい。
【０１７２】
ステップＳ１１０：
電話機７７は、第３制御部７１から受信したガイダンスを表す音声情報を再生する。
【０１７３】
ステップＳ１１１：
電話機７７は、利用者によりダイヤルボタンが押下されることによって、その押下されたダイヤル番号を第３制御部７１に対して送信する。
【０１７４】
ここでは、説明の便宜上、一例として、電話機７７は、「短縮ダイヤル番号」を設定することを示す「１」を第３制御部７１に対して送信することとする。
【０１７５】
ステップＳ１１２：
第３制御部７１は、第４通信部７２を介して電話機７７からダイヤル番号を受信する。第３制御部７１は、受信したダイヤル番号に応じて、処理をステップＳ１１３、またはステップＳ１２８の何れかに進める。
【０１７６】
より具体的に、第３制御部７１は、受信したダイヤル番号が「１」を示す（つまり、短縮ダイヤル番号を設定する）場合に、処理をステップＳ１１３に進める。一方で、第３制御部７１は、受信したダイヤル番号が「０」を示す（つまり、短縮ダイヤル番号を設定しない）場合に、処理をステップＳ１２８に進める。
【０１７７】
ステップＳ１１３：
第３制御部７１は、第４通信部７２を介して「短縮ダイヤル番号」の入力を待ち受ける時間（つまり、所望の受付時間）を入力するように促すガイダンスを表す音声情報を電話機７７に対して送信する。
【０１７８】
例えば、係るガイダンスとしては、「短縮ダイヤル番号を待ち受ける時間を入力して下さい。入力が終わりましたら＃を入力して下さい。」というような音声メッセージを再生する構成を採用してもよい。
【０１７９】
ステップＳ１１４：
電話機７７は、第３制御部７１から受信したガイダンスを表す音声情報を再生する。
【０１８０】
ステップＳ１１５：
電話機７７は、利用者によりダイヤルボタンが押下されることによって、その押下されたダイヤル番号を第３制御部７１に対して送信する。
【０１８１】
ここでは、説明の便宜上、一例として、電話機７７は、受付時間を３分に設定することを示す「３」を第３制御部７１に対して送信することとする。
【０１８２】
ステップＳ１１６：
第３制御部７１は、第４通信部７２を介して電話機７７からダイヤル番号を受信する。第３制御部７１は、電話機７７から受信したダイヤル番号を「受付時間」として第４記憶部７３に一時的に記憶する。次に、第３制御部７１は、第４通信部７２を介して所望の「動作種別」の入力を促すガイダンスを表す音声情報を電話機７７に対して送信する。
【０１８３】
例えば、係るガイダンスとしては、「電話番号の発信を希望する場合は１を、アンケートの回答を希望する場合は０を入力して下さい。」というような音声メッセージを再生する構成を採用してもよい。
【０１８４】
ステップＳ１１７：
電話機７７は、第３制御部７１から受信したガイダンスを表す音声情報を再生する。
【０１８５】
ステップＳ１１８：
電話機７７は、利用者によりダイヤルボタンが押下されることによって、その押下されたダイヤル番号を第３制御部７１に対して送信する。
【０１８６】
ここでは、説明の便宜上、一例として、電話機７７は、電話番号の発信を希望することを示す「１」を第３制御部７１に対して送信することとする。
【０１８７】
ステップＳ１１９：
第３制御部７１は、第４通信部７２を介して電話機７７からダイヤル番号を受信する。第３制御部７１は、電話機７７から受信したダイヤル番号を「動作種別」として第４記憶部７３に一時的に記憶する。次に、第３制御部７１は、受信したダイヤル番号に応じて、処理をステップＳ１２０、またはステップＳ１２４の何れかに進める。
【０１８８】
より具体的に、第３制御部７１は、受信したダイヤル番号が「１」を示す（つまり、電話番号の発信を希望する）場合に、処理をステップＳ１２０に進める。一方で、第３制御部７１は、受信したダイヤル番号が「０」を示す（つまり、アンケートの回答を希望する）場合に、処理をステップＳ１２４に進める。
【０１８９】
ステップＳ１２０：
第３制御部７１は、第４通信部７２を介して所望の電話番号（連絡先電話番号）の入力を促すガイダンスを表す音声情報を電話機７７に対して送信する。
【０１９０】
例えば、係るガイダンスとしては、「連絡先の電話番号を入力して下さい。入力が終わりましたら＃を入力して下さい。」というような音声メッセージを再生する構成を採用してもよい。
【０１９１】
ステップＳ１２１：
電話機７７は、第３制御部７１から受信したガイダンスを表す音声情報を再生する。
【０１９２】
ステップＳ１２２：
電話機７７は、利用者によりダイヤルボタンが押下されることによって、その押下されたダイヤル番号を第３制御部７１に対して送信する。
【０１９３】
ここでは、説明の便宜上、一例として、電話機７７は、電話番号を示す「０３１２３４５６７８」を第３制御部７１に対して送信することとする。
【０１９４】
ステップＳ１２３：
第３制御部７１は、第４通信部７２を介して電話機７７からダイヤル番号を受信する。第３制御部７１は、電話機７７から受信したダイヤル番号を「動作情報」として第４記憶部７３に一時的に記憶する。
【０１９５】
ステップＳ１２４：
第３制御部７１は、第４通信部７２を介して所望の「短縮ダイヤル番号」の入力を促すガイダンスを表す音声情報を電話機７７に対して送信する。
【０１９６】
例えば、係るガイダンスとしては、「短縮ダイヤル番号を入力して下さい。入力が終わりましたら＃を入力して下さい。」というような音声メッセージを再生する構成を採用してもよい。
【０１９７】
ステップＳ１２５：
電話機７７は、第３制御部７１から受信したガイダンスを表す音声情報を再生する。
【０１９８】
ステップＳ１２６：
電話機７７は、利用者によりダイヤルボタンが押下されることによって、その押下されたダイヤル番号を第３制御部７１に対して送信する。
【０１９９】
ここでは、説明の便宜上、一例として、電話機７７は、「短縮ダイヤル番号」を示す「８１」を第３制御部７１に対して送信することとする。
【０２００】
ステップＳ１２７：
第３制御部７１は、第４通信部７２を介して電話機７７からダイヤル番号を受信する。第３制御部７１は、電話機７７から受信したダイヤル番号を「短縮ダイヤル番号」として第４記憶部７３に一時的に記憶する。
【０２０１】
ステップＳ１２８：
第３制御部７１は、第４通信部７２を介して告知放送として放送する音声の入力を促すガイダンスを表す音声情報を電話機７７に対して送信する。
【０２０２】
例えば、係るガイダンスとしては、「放送する音声を録音します。ピッと鳴りましたら音声を入力して下さい。終わりましたら＃を入力して下さい。ピッ。」というような音声メッセージを再生する構成を採用してもよい。
【０２０３】
ステップＳ１２９：
電話機７７は、第３制御部７１から受信したガイダンスを表す音声情報を再生する。
【０２０４】
ステップＳ１３０：
電話機７７は、利用者により放送する内容を表す音声を音声信号として第３制御部７１に対して送出する。
【０２０５】
ステップＳ１３１：
第３制御部７１は、第４通信部７２を介して電話機７７から音声信号を受信する。第２変換部７４は、受信した音声信号に基づいて、デジタルデータに変換すると共に、変換した音声情報を第４記憶部７３に一時的に記憶する。即ち、ページング放送装置２０２は、電話機７７から入力された音声を録音する。
【０２０６】
ステップＳ１３２：
第３制御部７１は、第４通信部７２を介して録音をやり直すか否かを確認するガイダンスを表す音声情報を電話機７７に対して送信する。
【０２０７】
例えば、係るガイダンスとしては、「録音をやり直す場合は１を、このまま操作を続ける場合は０を入力して下さい。」というような音声メッセージを再生する構成を採用してもよい。
【０２０８】
ステップＳ１３３：
電話機７７は、第３制御部７１から受信したガイダンスを表す音声情報を再生する。
【０２０９】
ステップＳ１３４：
電話機７７は、利用者によりダイヤルボタンが押下されることによって、その押下されたダイヤル番号を第３制御部７１に対して送信する。
【０２１０】
ここでは、説明の便宜上、一例として、電話機７７は、録音をやり直すことなく操作を続けることを示す「０」を第３制御部７１に対して送信することとする。
【０２１１】
ステップＳ１３５：
第３制御部７１は、第４通信部７２を介して電話機７７からダイヤル番号を受信する。第３制御部７１は、受信したダイヤル番号に応じて、処理をステップＳ１３６、またはステップＳ１２８の何れかに進める。
【０２１２】
より具体的に、第３制御部７１は、受信したダイヤル番号が「１」を示す（つまり、録音をやり直す）場合に、一時的に第４記憶部７３に記憶した音声情報を廃棄（削除）すると共に、処理をステップＳ１２８に進める。一方で、第３制御部７１は、受信したダイヤル番号が「０」を示す（つまり、操作を続ける）場合に、処理をステップＳ１３６に進める。
【０２１３】
ステップＳ１３６：
第３制御部７１は、上述した各ステップにおいて設定した内容に基づいて放送するか否かを確認するガイダンスを表す音声情報を電話機７７に対して送信する。即ち、第３制御部７１は、告知放送に関する全ての設定を終了するか否かを確認するガイダンスを表す音声情報を電話機７７に対して送信する。
【０２１４】
例えば、係るガイダンスとしては、「設定をやり直す場合は１を、設定を終了する場合は０を入力して下さい。」というような音声メッセージを再生する構成を採用してもよい。または、例えば、当該ガイダンスは、「エリアコードを修正する場合は１を、電話番号を修正する場合は２を、短縮ダイヤル番号を修正する場合は３を入力して下さい。」というような音声メッセージを再生する構成を採用してもよい。
【０２１５】
ステップＳ１３７：
電話機７７は、第３制御部７１から受信したガイダンスを表す音声情報を再生する。
【０２１６】
ステップＳ１３８：
電話機７７は、利用者によりダイヤルボタンが押下されることによって、その押下されたダイヤル番号を第３制御部７１に対して送信する。
【０２１７】
ここでは、説明の便宜上、一例として、電話機７７は、設定をやり直すことなく設定を終了することを示す「０」を第３制御部７１に対して送信することとする。
【０２１８】
ステップＳ１３９：
第３制御部７１は、第４通信部７２を介して電話機７７からダイヤル番号を受信する。第３制御部７１は、受信したダイヤル番号に応じて、処理をステップＳ１４０、またはステップＳ１０３の何れかに進める。
【０２１９】
より具体的に、第３制御部７１は、受信したダイヤル番号が「１」を示す（つまり、設定をやり直す）場合に、処理をステップＳ１０３に進める。一方で、第３制御部７１は、受信したダイヤル番号が「０」を示す（つまり、設定を終了する）場合に、処理をステップＳ１４０に進める。
【０２２０】
ステップＳ１４０：
第３制御部７１は、第４通信部７２を介して告知放送に関する設定を受け付けると共に、音声案内を終了するガイダンスを表す音声情報を電話機７７に対して送信する。
【０２２１】
例えば、係るガイダンスとしては、「放送を承けたまりました。音声案内を終了します。」というような音声メッセージを再生する構成を採用してもよい。
【０２２２】
ステップＳ１４１：
電話機７７は、第３制御部７１から受信したガイダンスを表す音声情報を再生する。
【０２２３】
ステップＳ１４２：
第３制御部７１は、電話機７７との通話を終了する。第３制御部７１は、第４記憶部７３に一時的に記憶していた「エリアコード」、「短縮ダイヤル数」、「短縮ダイヤル番号」、「動作種別」、「動作情報（連絡先電話番号）」、「受付時間」及び「音声情報」を告知放送配信装置２０３に対して送信する。
【０２２４】
ステップＳ１４３：
電話機７７は、電話回線網７６から送信された通話が終了したことを表す話中音（ビジートーン）によって、例えば、利用者に通話が終了（終話）したことを伝える。
【０２２５】
尚、上述した本実施形態では、説明の便宜上、一例として、ページング放送装置２０２は、電話機７７から入力された情報に基づいて、告知放送に関する各種設定と、短縮ダイヤル番号に関する各種設定とを行う構成を例に説明した。しかしながら本発明に係る実施形態は、係る構成に限定されない。ページング放送装置２０２は、告知放送に関する各種設定だけを行う構成を採用してもよい。
【０２２６】
次に、図１５は、本発明の第４の実施形態における告知放送受信端末３３が行う「動作種別」が「電話」を示す場合の動作を示すフローチャート（シーケンス図）である。係るフローチャートに沿って告知放送受信端末３３の動作手順を説明する。
【０２２７】
ここでは、説明の便宜上、一例として、告知放送受信端末３３は、告知放送配信装置２０３から設定情報１０１を含む放送開始制御パケット１０３を受信することとする。また、告知放送配信装置２０３から配信される告知コンテンツは、例えば、商品を紹介するメッセージと、その商品の購入を申し込む際の連絡先を示す短縮ダイヤル番号とを含むこととする。さらに、設定情報１０１は、コンテンツＩＤの値を「１」、「短縮ダイヤル数」の値を「１」、「短縮ダイヤル番号」の値を「＃１」、「動作種別」の値を「電話」、「動作情報」を「０３１２３４５６７８」及び「受付時間」の値を「３分」とする。入力情報１０２は、「＃１」とする。
【０２２８】
また、ＶｏＩＰ−ＴＡ２０６に接続された電話機２０７（第２電話機）は、電話番号「０３１２３４５６７８」を持つこととする。即ち、告知放送受信端末３３に接続された電話機２０７（第１電話機）は、第２電話機と接続を確立することとする。即ち、図１５に示す「連絡先」は、第２電話機である。
【０２２９】
また、説明の便宜上、上述した構成を例に説明するが、本実施形態を例に説明する本発明は、前述した構成にはこれに限定されない（以下の実施形態においても同様）。
【０２３０】
ステップＳ２０１：
告知放送配信装置２０３の第１制御部５１は、告知放送を配信するに際して、第２通信部５２を介して設定情報１０１を含む放送開始制御パケット１０３を告知放送受信端末３３に対して送信する。
【０２３１】
ステップＳ２０２：
告知放送受信端末３３の通信装置３１は、第１通信部４１を介して第１制御部５１から放送開始制御パケット１０３を受信する。通信装置３１の発信制御部３２は、放送開始制御パケット１０３含まれる設定情報１０１に基づいて、放送開始制御パケット１０３を受信した時刻から「受付時間」の間に亘って、第１電話機（外部）から与えられた入力情報１０２が「短縮ダイヤル番号」である場合に、その入力情報１０２に応じて、所定の動作を実行可能なように自装置の設定を変更する。
【０２３２】
ステップＳ２０３：
発信制御部３２は、所定の動作を実行可能なように自装置の設定を変更した際に、自装置の設定が完了したことを示す情報を含むパケットを、第１通信部４１を介して第１制御部５１に対して送信する。即ち、発信制御部３２は、告知放送配信装置２０３に対して応答する。
【０２３３】
ステップＳ２０４：
第１制御部５１は、発信制御部３２から第２通信部５２を介して係るパケットを受信する。
【０２３４】
ステップＳ２０５：
第１制御部５１は、当該パケットを受信するのに応じて、告知放送を配信する。即ち、第１制御部５１は、第２通信部５２を介して音声情報を告知放送受信端末３３に対して送信する。
【０２３５】
ステップＳ２０６：
発信制御部３２は、第１通信部４１を介して第１制御部５１から音声情報を受信する。発信制御部３２は、受信した音声情報を第１記憶部４２に格納する。次に、発信制御部３２は、その音声情報を音声再生部４３により内蔵、または外付けのスピーカ（不図示）を用いて音声として再生する。
【０２３６】
ステップＳ２０７：
第１電話機は、利用者によりダイヤルボタンが押下されることによって、その押下されたダイヤル番号を発信制御部３２に対して送信する。
【０２３７】
ここでは、説明の便宜上、一例として、第１電話機は、「短縮ダイヤル番号」である「＃１」を入力情報１０２として発信制御部３２に対して送信することとする。
【０２３８】
ステップＳ２０８：
発信制御部３２は、第１通信部４１を介して、第１電話機から入力情報１０２を受信する。
【０２３９】
尚、入力情報１０２を受信した際の発信制御部３２の動作は、図５に示すフローチャートにおいて説明した第２の実施形態の動作と同様である。そのため、重複する説明は省略する。
【０２４０】
ステップＳ２０９：
発信制御部３２は、受け付けた入力情報１０２に関連付けられた所定の電話番号に変換すると共に、第１通信部４１を介してその変換した電話番号を発呼する。より具体的に、発信制御部３２は、電話番号を含む通話を要求する通話要求を送信する。
【０２４１】
ここでは、説明の便宜上、一例として、発信制御部３２は、電話番号「０３１２３４５６７８」を発呼することとする。
【０２４２】
ステップＳ２１０：
呼制御装置２０４は、発信制御部３２から通話要求を受信する。
【０２４３】
ステップＳ２１１：
呼制御装置２０４は、例えば、ＩＰ電話サービスを利用する利用者の電話番号を管理する加入者電話番号管理データベースを参照する。呼制御装置２０４は、参照した加入者電話番号管理データベースから「０３１２３４５６７８」に関連付けられた情報に基づいて、電話番号「０３１２３４５６７８」を持つ宛先（図１５に示す「連絡先」）に対して通話要求を転送する。
【０２４４】
ステップＳ２１２：
ＶｏＩＰ−ＴＡ２０６は、呼制御装置２０４から通話要求を受信するのに応じて、呼出信号を第２電話機に対して出力する。これにより、第２電話機は、着信音を鳴らすことができる。
【０２４５】
ステップＳ２１３：
ＶｏＩＰ−ＴＡ２０６は、例えば、利用者が応答（第２電話機の受話器を上げる）するのに応じて、呼出信号の出力を停止する。さらに、ＶｏＩＰ−ＴＡ２０６は、応答したことを示す応答信号を呼制御装置２０４に対して送信する。
【０２４６】
ステップＳ２１４：
呼制御装置２０４は、ＶｏＩＰ−ＴＡ２０６から応答信号を受信する。
【０２４７】
ステップＳ２１５：
呼制御装置２０４は、受信した応答信号を発信制御部３２に対して転送する。
【０２４８】
ステップＳ２１６：
発信制御部３２は、第１通信部４１を介して呼制御装置２０４から応答信号を受信する。
【０２４９】
ステップＳ２１７：
発信制御部３２は、第１電話機と第２電話機との間で接続を確立する。これにより、第１電話機を利用する利用者は、第２電話機を利用する利用者と通話することができる。
【０２５０】
尚、発信制御部３２は、設定情報１０１を受信した時刻から「受付時間」を経過した場合に、登録情報（「短縮ダイヤル番号」）を受け付けることを解除する。
【０２５１】
次に、図１６は、本発明の第４の実施形態における告知放送受信端末３３が行う「動作種別」が「回答」を示す場合の動作を示すフローチャート（シーケンス図）である。係るフローチャートに沿って告知放送受信端末３３の動作手順を説明する。図１５に示すフローチャートにおいて説明した同様な動作については、同一の参照番号を付すことにより、重複する説明は省略する。
【０２５２】
ここでは、説明の便宜上、一例として、告知放送受信端末３３は、告知放送配信装置２０３から設定情報１０１を含む放送開始制御パケット１０３を受信することとする。また、告知放送配信装置から配信される告知コンテンツは、例えば、複数の選択肢からなるアンケートに対する回答を依頼するメッセージと、そのアンケートの選択肢と関連付けられた「短縮ダイヤル番号」とを含むこととする。さらに、設定情報１０１は、コンテンツＩＤの値を「２」、「短縮ダイヤル数」の値を「４」、「短縮ダイヤル番号」の値を「＃１、＃２、＃３及び＃４」、「動作種別」の値を「回答」及び「受付時間」の値を「３分」とする。さらに、入力情報１０２は、「＃１」とする。
【０２５３】
尚、説明の便宜上、上述した構成を例に説明するが、本実施形態を例に説明する本発明は、前述した構成にはこれに限定されない（以下の実施形態においても同様）。
【０２５４】
ステップＳ３０１：
発信制御部３２は、第１通信部４１を介して受け付けた入力情報１０２と端末ＩＤとを含むパケットを告知放送配信装置２０３（外部装置）に対して送信する。
【０２５５】
ステップＳ３０２：
告知放送配信装置２０３の第１制御部５１は、第２通信部５２を介して発信制御部３２から入力情報１０２と端末ＩＤとを含むパケットを受信する。第１制御部５１は、受信した入力情報１０２と端末ＩＤとを含むパケットに基づいて、その「短縮ダイヤル番号」が選択された回数を示す「選択回数」を算出する。第１制御部５１は、「端末ＩＤ」と「選択回数」とを、設定情報１０１と関連付けてデータベース部５４に記憶する。
【０２５６】
これにより、例えば、コンテンツ管理者は、「短縮ダイヤル番号」が選択された回数を放送制御装置２０１が有する表示部６４に表示すると共に、その回数を確認することができる。また、例えば、受付期間が経過した際に、第１制御部５１は、データベース部５４に記憶された各種情報を所定の電子メールアドレス宛てに配信する構成を採用してもよい。
【０２５７】
ステップＳ３０３：
発信制御部３２は、音声案内を終了するガイダンスを表す音声情報を第１電話機に対して送信する。
【０２５８】
例えば、係るガイダンスとしては、「回答を承けたまりました。ありがとうございました。音声案内を終了します。」というような音声メッセージを再生する構成を採用してもよい。
【０２５９】
ステップＳ３０４：
第１電話機は、発信制御部３２から受信したガイダンスを表す音声情報を再生する。
【０２６０】
尚、発信制御部３２は、設定情報１０１を受信した時刻から「受付時間」を経過した場合に、登録情報（「短縮ダイヤル番号」）を受け付けることを解除する。
【０２６１】
次に、図１７（図１７Ａ及び図１７Ｂ）は、本発明の第４の実施形態における告知放送受信端末３３が行うダイヤル番号を受け付ける際の動作を示すフローチャートである。係るフローチャートに沿って告知放送受信端末３３の動作手順を説明する。図５に示すフローチャートにおいて説明した第２の実施形態と同様な動作については、同一の参照番号を付すことにより、重複する説明は省略する。
【０２６２】
尚、説明の便宜上、上述した構成を例に説明するが、本実施形態を例に説明する本発明は、前述した構成にはこれに限定されない（以下の実施形態においても同様）。
【０２６３】
ステップＳ４０１：
告知放送受信端末３３の発信制御部３２は、告知放送受信端末３３に接続された電話機２０７（第１電話機）の受話器が上げられたことを検知する。
【０２６４】
ステップＳ４０２：
発信制御部３２は、ダイヤル番号を受け付けることが可能な状態であることを示すダイヤルトーンを第１電話機に対して出力する。
【０２６５】
ステップＳ４０３：
発信制御部３２は、第１電話機からダイヤル番号を受け付けたか否かを判別する。
【０２６６】
ステップＳ４０３において「ＹＥＳ」：
発信制御部３２は、第１電話機からダイヤル番号を受け付けたか否かを判別した結果、ダイヤル番号を受け付けたと判別した場合に、処理をステップＳ４０４に進める。
【０２６７】
ステップＳ４０３において「ＮＯ」：
発信制御部３２は、第１電話機からダイヤル番号を受け付けたか否かを判別した結果、ダイヤル番号を受け付けていないと判別した場合に、処理をステップＳ４０５に進める。
【０２６８】
ステップＳ４０４：
発信制御部３２は、第１電話機に対してダイヤルトーンの出力を停止する。
【０２６９】
ステップＳ４０５：
発信制御部３２は、第１電話機から規定時間内にダイヤル番号を受け付けたか否かを判別する。
【０２７０】
ステップＳ４０５において「ＹＥＳ」：
発信制御部３２は、第１電話機から規定時間内にダイヤル番号を受け付けたか否かを判別した結果、規定時間内にダイヤル番号を受け付けたと判別した場合に、処理をステップＳ４０３に戻す。
【０２７１】
ステップＳ４０５において「ＮＯ」：
発信制御部３２は、第１電話機から規定時間内にダイヤル番号を受け付けたか否かを判別した結果、規定時間内にダイヤル番号を受け付けていないと判別した場合に、処理をステップＳ４０６に進める。
【０２７２】
ステップＳ４０６：
発信制御部３２は、規定時間を経過（タイムアウト）したために、ダイヤル番号を受け付けることができないことを示すビジートーンを第１電話機に対して出力する。これにより、発信制御部３２は、利用者に受話器を置くように促すことができる。
【０２７３】
ステップＳ４０７：
発信制御部３２は、さらに、所定の時間を経過したか否かを判別する。
【０２７４】
ステップＳ４０７において「ＹＥＳ」：
発信制御部３２は、さらに、所定の時間を経過したか否かを判別した結果、所定の時間を経過したと判別した場合に、処理をステップＳ４０８に進める。
【０２７５】
ステップＳ４０７において「ＮＯ」：
発信制御部３２は、さらに、所定の時間を経過したか否かを判別した結果、所定の時間を経過していないと判別した場合に、ステップＳ４０７の処理を繰り返す。
【０２７６】
ステップＳ４０８：
発信制御部３２は、大音量のハウラートーンを第１電話機に対して出力する。これにより、発信制御部３２は、利用者に受話器を置くように強く促すことができる。
【０２７７】
ステップＳ４０９：
発信制御部３２は、第１電話機の受話器が置かれたか否かを判別する。
【０２７８】
ステップＳ４０９において「ＹＥＳ」：
発信制御部３２は、第１電話機の受話器が置かれたか否かを判別した結果、第１電話機の受話器が置かれたと判別した場合に、処理をステップＳ４０１に戻す。
【０２７９】
ステップＳ４０９において「ＮＯ」：
発信制御部３２は、第１電話機の受話器が置かれたか否かを判別した結果、第１電話機の受話器が置かれていないと判別した場合に、ステップＳ４０９の処理を繰り返す。
【０２８０】
尚、上述した本実施形態では、説明の便宜上、一例として、発信制御部３２は、図１７に示すステップＳ４０９において第１電話機の受話器が置かれたか否かを判別する構成を例に説明した。しかしながら本発明に係る実施形態は、係る構成に限定されない。発信制御部３２は、図１７に示すステップＳ４０５、ステップＳ４０７及びステップＳ４０９の少なくとも何れかにおいて第１電話機の受話器が置かれたか否かを判別する構成を採用してもよい。
【０２８１】
また、上述した本実施形態では、説明の便宜上、一例として、第１電話機は、告知放送受信端末３３に接続された構成を例に説明した。しかしながら本発明に係る実施形態は、係る構成に限定されない。第１電話機は、告知放送受信端末３３が備える構成を採用してもよい。
【０２８２】
このように本実施の形態に係る通信装置３１によれば、各実施形態において説明した効果を享受できると共に、さらに、配信された告知コンテンツを放送することができる。また、通信装置３１は、例えば、告知放送システムの告知放送受信端末に適用して好適である。
【０２８３】
その理由は、通信装置３１は、告知放送配信装置２０３から音声情報を受信するのに応じて、その音声情報を再生することができるからである。即ち、通信装置３１は、告知放送を放送することができるからである。
【０２８４】
（ハードウェア構成例）
上述した実施形態において図面に示した各部は、ソフトウェアプログラムの機能（処理）単位（ソフトウェアモジュール）と捉えることができる。これらの各ソフトウェアモジュールは、専用のハードウェアによって実現してもよい。但し、これらの図面に示した各部の区分けは、説明の便宜上の構成であり、実装に際しては、様々な構成が想定されうる。この場合のハードウェア環境の一例を、図１８を参照して説明する。
【０２８５】
図１８は、本発明の模範的な実施形態に係る通信装置を実行可能な情報処理装置３００（コンピュータ）の構成を例示的に説明する図である。即ち、図１８は、図１に示した通信装置１、或いは、図４に示した通信装置１０、図７に示した通信装置２０、図９及び図１０に示した通信装置３１、の全体または一部の通信装置を実現可能なサーバ等のコンピュータ（情報処理装置）の構成であって、上述した実施形態における各機能を実現可能なハードウェア環境を表す。
【０２８６】
図１８に示した情報処理装置３００は、ＣＰＵ（Ｃｅｎｔｒａｌ＿Ｐｒｏｃｅｓｓｉｎｇ＿Ｕｎｉｔ）３０１、ＲＯＭ（Ｒｅａｄ＿Ｏｎｌｙ＿Ｍｅｍｏｒｙ）３０２、ＲＡＭ（Ｒａｎｄｏｍ＿Ａｃｃｅｓｓ＿Ｍｅｍｏｒｙ）３０３、ハードディスク３０４（記憶装置）、並びに外部装置との通信インタフェース（Ｉｎｔｅｒｆａｃ：以降、「Ｉ／Ｆ」と称する）３０５、ＣＤ−ＲＯＭ（Ｃｏｍｐａｃｔ＿Ｄｉｓｃ＿Ｒｅａｄ＿Ｏｎｌｙ＿Ｍｅｍｏｒｙ）等の記憶媒体３０７に格納されたデータを読み書き可能なリーダライタ３０８を備え、これらの構成がバス３０６（通信線）を介して接続された一般的なコンピュータである。
【０２８７】
そして、上述した実施形態を例に説明した本発明は、図１８に示した情報処理装置３００に対して、その説明において参照したブロック構成図（図１、図４、図７、図９、図１０）或いはフローチャート（図３、図５、図１７Ａ、図１７Ｂ）の機能を実現可能なコンピュータ・プログラムを供給した後、そのコンピュータ・プログラムを、当該ハードウェアのＣＰＵ３０１に読み出して実行することによって達成される。また、当該装置内に供給されたコンピュータ・プログラムは、読み書き可能な一時記憶メモリ（ＲＡＭ３０３）またはハードディスク３０４等の不揮発性の記憶デバイスに格納すれば良い。
【０２８８】
また、前記の場合において、当該ハードウェア内へのコンピュータ・プログラムの供給方法は、ＣＤ−ＲＯＭ等の各種記憶媒体３０７を介して当該装置内にインストールする方法や、インターネット等の通信回線を介して外部よりダウンロードする方法等のように、現在では一般的な手順を採用することができる。そして、このような場合において、本発明は、係るコンピュータ・プログラムを構成するコード或いは、そのコードが格納された記憶媒体によって構成されると捉えることができる。
【０２８９】
尚、上述した各実施形態の一部又は全部は、以下の付記のようにも記載されうる。しかしながら、上述した実施形態により例示的に説明した本発明は、以下には限らない。即ち、
（付記１）
１つ以上の登録情報と、その登録情報の数を示す登録情報数と、前記登録情報を受け付けることが可能な時間を示す受付時間と、前記登録情報毎に関連付けられた所定の動作の種別を示す動作種別と、前記所定の動作に関連する値を示す動作情報とが関連付けられた設定情報に基づいて、前記登録情報に応じて、前記所定の動作を実行可能なように自装置の設定を変更する制御部を備え、
前記制御部は、
入力情報が与えられた際に、該入力情報と前記登録情報とが同一か否かを判別し、同一であると判別した場合には、前記入力情報を与えられた時刻が前記受付時間内であるか否かを判別し、前記受付時間内であると判別した場合に、前記登録情報と関連付けられた前記所定の動作を実行する
ことを特徴とする通信装置。
（付記２）
前記制御部は、
さらに、前記所定の動作を実行するに際して、前記動作種別に基づいて、前記所定の動作の種別を判別し、その動作種別に応じて、異なる所定の動作を実行する
ことを特徴とする付記１に記載の通信装置。
（付記３）
前記制御部は、
前記動作種別が所定の電話番号を発呼することを表す場合に、前記動作情報に基づき前記所定の電話番号を発呼する
ことを特徴とする付記１または付記２に記載の通信装置。
（付記４）
前記制御部は、
前記動作種別が前記入力情報を通知することを表す場合に、前記入力情報を通知する
ことを特徴とする付記１または付記２に記載の通信装置。
（付記５）
前記制御部は、
前記入力情報を通知するに際して、さらに、自装置を一意に識別可能な識別情報を通知する
ことを特徴とする付記４に記載の通信装置。
（付記６）
前記制御部は、
前記設定情報に基づき自装置の設定が完了したことを示す情報を通知する
ことを特徴とする付記１に記載の通信装置。
（付記７）
前記制御部は、
前記動作種別が所定の電話番号を発呼することを表す場合に、電話機のオフフック状態を検知するのに応じて、その検知した時刻が前記受付時間内であるか否かを判別し、前記受付時間内であると判別した場合に、前記動作情報に基づき前記所定の電話番号に発呼する
ことを特徴とする付記１に記載の通信装置。
（付記８）
告知放送を配信する告知放送配信装置と、付記１乃至付記７の何れかに記載された通信装置を含む告知放送受信端末及びその告知放送受信端末に接続された電話機を含む告知放送システムであって、
前記告知放送配信装置は、
前記告知放送を配信するに際して、前記設定情報を含む放送開始制御パケットを送信し、前記告知放送受信端末の設定が完了するのに応じて、前記告知放送の配信を開始すると共に、音声情報を送信し、前記入力情報と前記識別情報とを受信した場合には、前記入力情報と前記識別情報とに基づいて、前記登録情報が選択された回数を示す選択回数を算出し、前記設定情報と関連付けて前記選択回数と前記識別情報とを管理し、
前記電話機は、
操作されるのに応じて、押下されたダイヤル番号を前記入力情報として出力し、
前記通信装置は、
さらに、前記音声情報を記憶部に格納し、その音声情報を音声再生部により再生する
ことを特徴とする告知放送システム。
（付記９）
１つ以上の登録情報と、その登録情報の数を示す登録情報数と、前記登録情報を受け付けることが可能な時間を示す受付時間と、前記登録情報毎に関連付けられた所定の動作の種別を示す動作種別と、前記所定の動作に関連する値を示す動作情報とが関連付けられた設定情報に基づいて、前記登録情報に応じて、前記所定の動作を実行可能なように自装置の設定を変更し、
入力情報が与えられた際に、該入力情報と前記登録情報とが同一か否かを判別し、同一であると判別した場合には、前記入力情報を与えられた時刻が前記受付時間内であるか否かを判別し、前記受付時間内であると判別した場合に、前記登録情報と関連付けられた前記所定の動作を、前記自装置と異なる他の装置が実行するよう制御する
ことを特徴とする通信制御装置。
（付記１０）
さらに、前記所定の動作を実行するに際して、前記動作種別に基づいて、前記所定の動作の種別を判別し、その動作種別に応じて、異なる所定の動作を、前記自装置と異なる他の装置が実行するように制御する
ことを特徴とする付記９に記載の通信制御装置。
（付記１１）
１つ以上の登録情報と、その登録情報の数を示す登録情報数と、前記登録情報を受け付けることが可能な時間を示す受付時間と、前記登録情報毎に関連付けられた所定の動作の種別を示す動作種別と、前記所定の動作に関連する値を示す動作情報とが関連付けられた設定情報に基づいて、前記登録情報に応じて、前記所定の動作を実行可能なように通信装置の設定を変更し、
入力情報が与えられるのに応じて、該入力情報と前記登録情報とが同一か否かを判別し、同一であると判別した場合には、前記入力情報を与えられた時刻が前記受付時間内であるか否かを判別し、前記受付時間内であると判別した場合に、前記登録情報と関連付けられた前記所定の動作を実行する
ことを特徴とする通信方法。
（付記１２）
さらに、前記所定の動作を実行するに際して、前記動作種別に基づいて、前記所定の動作の種別を判別し、その動作種別に応じて、異なる所定の動作を実行する
ことを特徴とする付記１１に記載の通信方法。
（付記１３）
１つ以上の登録情報と、その登録情報の数を示す登録情報数と、前記登録情報を受け付けることが可能な時間を示す受付時間と、前記登録情報毎に関連付けられた所定の動作の種別を示す動作種別と、前記所定の動作に関連する値を示す動作情報とが関連付けられた設定情報に基づいて、前記登録情報に応じて、前記所定の動作を実行可能なように通信装置の設定を変更し、
入力情報が与えられるのに応じて、該入力情報と前記登録情報とが同一か否かを判別し、同一であると判別した場合には、前記入力情報を与えられた時刻が前記受付時間内であるか否かを判別し、前記受付時間内であると判別した場合に、前記登録情報と関連付けられた前記所定の動作を実行する機能を
コンピュータに実現させることを特徴とするコンピュータ・プログラム。
【符号の説明】
【０２９０】
１    通信装置
２    発信制御部
１０    通信装置
１１    発信制御部
２０    通信装置
２１    発信制御部
３０    告知放送システム
３１    通信装置
３２    発信制御部
３３    告知放送受信端末
４１    第１通信部
４２    第１記憶部
４３    音声再生部
４４    操作部
４５    通知部
５１    第１制御部
５２    第２通信部
５３    第２記憶部
５４    データベース部
６１    第２制御部
６２    第３通信部
６３    第３記憶部
６４    表示部
６５    入力部
６６    第１変換部
６７    マイク
７１    第３制御部
７２    第４通信部
７３    第４記憶部
７４    第２変換部
７５    電話回線接続部
７６    電話回線網
７７    電話機
１０１    設定情報
１０２    入力情報
１０３    放送開始制御パケット
２００    告知放送システム
２０１    放送制御装置
２０２    ページング放送装置
２０３    告知放送配信装置
２０４    呼制御装置
２０５    告知放送受信端末
２０６    ＶｏＩＰ−ＴＡ
２０７    電話機
２１０    ＩＰネットワーク網
２１１    一般加入電話回線網
３００    情報処理装置
３０１    ＣＰＵ
３０２    ＲＯＭ
３０３    ＲＡＭ
３０４    ハードディスク
３０５    通信インタフェース
３０６    バス
３０７    記憶媒体
３０８    リーダライタ
【図１】
2015089065.tif 000003
【図２】
2015089065.tif 000004
【図３】
2015089065.tif 000005
【図４】
2015089065.tif 000006
【図５】
2015089065.tif 000007
【図６】
2015089065.tif 000008
【図７】
2015089065.tif 000009
【図８】
2015089065.tif 000010
【図９】
2015089065.tif 000011
【図１０】
2015089065.tif 000012
【図１１】
2015089065.tif 000013
【図１２】
2015089065.tif 000014
【図１３】
2015089065.tif 000015
【図１４Ａ】
2015089065.tif 000016
【図１４Ｂ】
2015089065.tif 000017
【図１５】
2015089065.tif 000018
【図１６】
2015089065.tif 000019
【図１７Ａ】
2015089065.tif 000020
【図１７Ｂ】
2015089065.tif 000021
【図１８】
2015089065.tif 000022
【図１９】
2015089065.tif 000023